(57)【要約】この光通信は、ソーラーモジュール内のソーラーセルをセンサーおよび／または受信機とし、ソーラーモジュールのバスバーを導管にして前記流入信号を制御回路に伝達することにより行われる。このような制御は、ソーラーモジュールの電源出力のオン／オフ制御を含むが、これに限定されず、このようなモニタリングは、ソーラーモジュールの現在の動作性能状態を読み取り、データを保存およびディスプレイすることを含むが、これに限定されない。本発明によって、ソーラーモジュールは、配線を物理的に分離しさらに接続することなく、ターンオン／オフできる。このような制御およびモニタリングによれば、全ての規模の太陽光発電システムのより効率的かつ正確な運営およびメンテナンスを行うことができる。
2015524631.tif 000002
【特許請求の範囲】
【請求項１】
光通信によってソーラーモジュールを制御およびモニタリングする方法において、
送信機から光信号を伝送する段階と、
ソーラーパネル内の少なくとも一つのソーラーセルで前記光信号を受信する段階であって、前記ソーラーセルと前記ソーラーパネルが電気的に同時に接続されてパワーシンクに電流を提供する段階と、
前記ソーラーセルと前記パワーシンクに電気的に結合されたバスバーを介して前記受信光信号をプロセッサーに伝播する段階と、
前記受信された光信号を処理して前記ソーラーパネルに命令を実行する段階とを含んでなる、ソーラーモジュールの制御およびモニタリング方法。
【請求項２】
前記命令は、前記ソーラーパネルをパワーオンすること、前記ソーラーパネルをパワーオフすること、および前記ソーラーパネルに関連する状態情報を出力することによりなる群から選ばれることを特徴とする、請求項１に記載の方法。
【請求項３】
前記ソーラーパネルに電気的に接続された記憶装置に前記ソーラーパネルの電源出力を記録する段階と、
前記プロセッサーによって一定の期間の平均電源出力を決定し、前記平均電源出力を前記記憶装置に記憶する段階と、
前記送信機から命令を受信するとき、前記記録する段階と前記決定する段階から保存された情報をディスプレイに出力する段階とをさらに含むことを特徴とする、請求項１に記載の方法。
【請求項４】
前記バスバーからの電流は、前記送信された光信号を復号化するように採用された回路に行く前に、帯域通過フィルターを通過することを特徴とする、請求項１に記載の方法。
【請求項５】
前記帯域通過フィルターと直列に遮断キャパシターが配置され、前記遮断フィルターは前記バスバーから受信された直流電流を除去することを特徴とする、請求項４に記載の方法。
【請求項６】
前記プロセッサーはバッテリーによって駆動され、前記命令は不揮発性メモリに記憶され、前記命令は前記命令の遂行に必要な閾値以上の電流出力を生産した後で行われることを特徴とする、請求項１に記載の方法。
【請求項７】
符号化光パルスを伝送するように構成された光送信機と、
光エネルギーを電気エネルギーに変換するように構成されたソーラーパネルと、
前記電気エネルギーを受信し、前記受信された電気エネルギーに基づいて操作されるように構成される電気駆動装置と、
前記ソーラーパネルと前記電気駆動装置との間にある少なくとも一つの金属管と、
前記金属管によって前記ソーラーパネルから前記電気エネルギーの少なくとも一部を受信し、前記送信された符号化光パルスを検出し、前記符号化光パルスに含まれたコードを決定するように構成されたデコーダーとを含んでなり、
前記デコーダーからデータを受信するプロセッサーによって命令が行われることを特徴とする、光送受信キット。
【請求項８】
前記ソーラーパネルは、電気エネルギーに変換された後であって前記デコーダーに送られる前に、帯域通過フィルターを通過する前記送信された符号化光パルスを受信することを特徴とする、請求項７に記載の光送受信キット。
【請求項９】
前記ソーラーパネルによって受信された電流を用いて前記電気駆動装置を操作することは、前記送信された符号化光パルスの受信とその復号化の両方に同時的であることを特徴とする、請求項８に記載の光送受信キット。
【請求項１０】
前記命令はパワーオフ命令であり、前記電気駆動装置は作動しないことを特徴とする、請求項９に記載の光送受信キット。
【請求項１１】
操作とは、電源への接続を要求する意図された機能を行うものと定義されることを特徴とする、請求項１０に記載の光送受信キット。
【請求項１２】
前記電気的にパワーが供給される装置はバッテリーであり、電源への接続を要求する前記意図された機能はバッテリーの充電であることを特徴とする、請求項１１に記載の光送受信キット。
【請求項１３】
前記電気的にパワーが供給される装置は照明であり、電源への接続を要求する前記意図された機能は光量子を放出することであることを特徴とする、請求項１１に記載の光送受信キット。
【請求項１４】
前記命令はパワーオン命令であり、前記電気的にパワーが供給される装置は作動することを特徴とする、請求項９に記載の光送受信キット。
【請求項１５】
前記命令は状態報告命令であり、前記ソーラーパネルに関する状態情報はディスプレイに表示されることを特徴とする、請求項９に記載の光送受信キット。
【請求項１６】
前記ソーラーパネルから出力された電気エネルギーが閾値以下であり、前記電気出力が後で前記閾値を超えるときまで前記命令は不揮発性メモリに記憶されることを特徴とする、請求項７に記載の光送受信キット。
【請求項１７】
前記閾値は、前記命令を適切に実行するのに必要な全ての制御回路を作動するように、前記ソーラーパネルから十分な電気出力を持つものと定義されることを特徴とする、請求項１６に記載の光送受信キット。
【請求項１８】
前記送信機は、実行される命令が受諾される前に、前記プロセッサーによって確認されるべきマスターコードを送ることを特徴とする、請求項７に記載の光送受信キット。
【発明の詳細な説明】
【技術分野】
【０００１】
本発明は、符号化された赤外線信号を受信するための方法に関する。より具体的に、本発明は、ソーラーパネルのバンクに赤外線信号を受信し、送信された赤外線信号を解釈する技術に関する。
【背景技術】
【０００２】
ソーラーセル（光電池ともいう）は、光電効果によって光を電気に変換する電気素子である。ソーラーモジュール（ソーラーパネル、光電モジュールまたは光電パネルともいう）は、光電池を連結して包装した組立体である。このソーラーモジュールは、商業用および住居用電気を発生させて供給する大型光電システムの部品として使われる。
【０００３】
業界において、各（ソーラー）パネルは、標準試験条件の下でＤＣ(direct current)出力によって評価され、通常、１００〜４５０ワットの範囲である。単一ソーラーパネルは、限られた量のパワーのみを生産するので、大部分の設備は、ソーラーパワーアレイの一部として複数のソーラーモジュールを備える。単一または複数のアレイは、互いに電気的に接続されることにより太陽光発電システムになる。中央集中制御パネルは、そのようなシステムにより発生したパワーを制御するが、個別的なソーラーモジュールを制御および／またはモニタリングすることができるように許容するシステムは未だ知られていない。太陽光発電システムの運営者が運営および／またはメンテナンスの目的でシステム内の個別ソーラーモジュールからパワーを終了させる必要があるときは、このようなことが問題となる。そのために、現在は、人が特定のソーラーモジュールから配線を物理的に分離しなければならない。ところが、ソーラーモジュールは非常に稠密に設置されており、最大数のソーラーモジュールが最小の表面積に設置できる。このような稠密な設置はよくサービス接近を非常に難しくする。
【０００４】
なおさら、ソーラーパネルはしばしば接近することが難しい。大規模のソーラーシステムでは、数千個のソーラーモジュールが広い地域にわたって設置される。よって、ソーラーモジュールに対するサービス接近が距離のためにさらに難しくなる。ある場合は、ソーラーモジュールが個別家庭と建物に設置されるが、中央会社が所有している。そのような場合には、各ソーラーモジュール、パネルまたはパネルセットに対する接近のためには私有財産を確保しなければならず、各私有財産は他の個人によって所有されている。物理的接近を確保することは、退屈な作業であり、時には不可能である。ところが、可能なところであっても、家の性格または屋根の接近タイプによって危ないこともある。
【０００５】
別の必要性は、ソーラーパネル技術においてソーラーパネルシステムとその内部の個別モジュールの作動をモニタリングすることである。ところが、発明者に知られているソーラーモジュールはそれぞれの個別モジュールに関するデータを提供することはしない。よって、運転者は、どんなモジュールが故障であるかを検出することも、知ることもできない。現在は、システム中で誤作動と疑われるモジュールを抜き取って余所でテストしてみる程度である。
【０００６】
よって、物理的に配線を断線することなく個々のソーラーモジュールを診断するようにしたいという要求が以前からあった。しかも、より良い運転およびメンテナンスのために、ソーラーパネルの性能および運転状態の診断を許容しなければならないという未解決課題が残っている。
【発明の概要】
【発明が解決しようとする課題】
【０００７】
本発明の目的は、モジュール内のソーラーパネルを信号センサー、アンテナーおよび／または受信機として用いて、遠距離光通信によって個々のソーラーモジュールを制御およびモニタリングすることができるようにすることにある。
【課題を解決するための手段】
【０００８】
ソーラーモジュールに信号受信、処理およびリレー素子を加えることにより、本発明は、出力オン／オフのようにソーラーモジュール制御の複数の機能を可能とする。本発明は、ソーラーモジュールの性能および状態をモニタリングし、そのモニタリング結果を表示することにより、運転者が見て理解することができるようにする。
【０００９】
本発明の方法において、ソーラーモジュールは、光通信によって制御および／またはモニタリングされる。これは、送信機から光信号を伝送し、この光信号をソーラーパネル内の少なくとも一つのソーラーセルで受信することにより行われる。前記ソーラーセルとソーラーパネルは、同時に電気的に接続されており、一種のトランスデューサー、バッテリー、照明、電気装置などのパワーシンクに電流を供給する。前記受信された光信号はバスバーを介してプロセッサーに伝播され、このバスバーは前記ソーラーセルおよびパワーシンクに電気的に結合されている。前記受信された光信号は、処理され、例えば、前記ソーラーパネルへの出力読取値または統計値の提供、ソーラーパネルの運転のオン／オフ切り替え、および／または前記パワーシンクに供給された電流のオン／オフ切り替えなどの命令を行う。
【００１０】
開示された実施例において、ソーラーパネルに電気的に接続されたメモリ記憶素子などの記憶装置に、ソーラーパネルのパワー出力が記録される。また、前記プロセッサーは、一定の期間（光信号によって指定された時間であって、日、週、月またはその他の時間フレームなど）にわたっての平均パワー出力を決定することに使用でき、この平均パワー出力または複数の異なる時間周期の複数の平均値は、保存されており、送信機から送られた命令に応じて、その保存された情報を出力することが要求される。
【００１１】
開示された実施例において、バスバーから出た電流は、帯域通過フィルターを通過した後、前記伝送された光信号を復号化するように採用された回路を通過する。また、遮断キャパシターは、前記帯域通過フィルターと直列に配置され、前記バスバーから受信されたＤＣ電流を除去することができる。
【００１２】
前記プロセッサーはバッテリーによって駆動でき、命令は、不揮発性メモリに記憶され、ソーラーパネルがこの命令を行うのに必要な閾値(threshold level)以上の電流出力を生産した後にのみ行われる。この閾値は、命令および／または送信機によって制御、変更または指示される装備の運営者または設計者が意図したとおり、その命令が安全かつ予測可能に実行されるほど十分なパワー（電流、電圧および抵抗の任意の組み合わせ）を有するものと定義される。
【００１３】
他の実施例において、光送受信キットは、赤外線および／または可視光スペクトル上に光パルスなどの符号化されたパルスを伝送するように構成された光送信機を備える。ソーラーパネルは光エネルギーを電気エネルギーに変換するように構成され、電気的に駆動される素子は、電気的に接続され、この電気エネルギーを受け、受信された電気エネルギーに基づいて作動するように構成される。ソーラーパネルと電気的駆動素子との間には、少なくとも一つの金属管が該電気駆動素子に電流を通過させる。前記金属管を介してソーラーパネルから電気エネルギーの少なくとも一部を受けるように構成されたデコーダーは、伝送された符号化パルスを検出し、符号化されたコードを判定する。命令は、デコーダーからデータを受信するプロセッサーによって行われる。
【００１４】
ソーラーパネルは伝送された符号化光パルスを受信することができ、この光は帯域通過フィルターを介して電気エネルギーとしてデコーダーに送られる。ソーラーパネルによって受信された電流を使用する電気駆動素子の運転と同時に、伝送された符号化光パルスの受信と復号化(decoding)が行われる。「同時」とは、ソーラーパネルが受信した同一の電流流れに基づいて互いに同時に作動する２つのアイテムを持つものと定義される。
【００１５】
前述した命令とは、電気駆動素子を非作動させる「パワーオフ」命令であり、或いは電気駆動素子を駆動させる「パワーオン」命令であり、或いは前記送信された信号と符号化された命令を受信するソーラーパネルに少なくとも一つの電気的に接続されたソーラーパネルに関する状態情報を出力させる命令である。「作動」とは、バッテリーなどのパワーソースへの接続を要求する意図された機能を行うものと定義される（通常、ソーラーモジュールは、インバーターに接続され、インバーターは、直流電源を交流電源に変換し、バッテリーではなくメイン回路パネルに送る）。充電という意図された機能はそれ以上充電できない場合に作動しないが、なぜなら、前記ソーラーパネルに関連して前記意図された機能は充電されることであるためである（このような充電は、バッテリーの他の意図された機能である放電とは反対のことであり、放電は、光電池からバッテリー内を通過する電流の使用目的とは分離されることである）。また、電気駆動装置は、光（光量子）を放出する、意図された電気的機能を持つ照明であってもよく、ソーラーパネルからの電気入力を要求する。
【００１６】
また、開示された技術の実施例において、ソーラーパネルから出力された電気エネルギーが閾値以下であるとき、電気出力が後で閾値を超えるときまで、命令は不揮発性メモリに記憶される。前記定義されたとおり閾値に到達されると、命令が実行される。  
【図面の簡単な説明】
【００１７】
【図１Ａ】従来のソーラーモジュールの前面を示す。
【図１Ｂ】従来のソーラーモジュールの背面を示す。
【図２】開示された技術の実施例を行うのに用いられる装置の上位レベルブロック図である。
【図３】開示された技術の実施例を行うのに用いられる制御回路の上位レベルブロック図である。
【図４】開示された技術の一実施例において、ソーラーパネルによって光信号を受信し記憶する方法を示すフローチャートである。
【図５】送信機から光信号を受信するときに行う段階を示す。
【図６】開示された技術を行うのに使用できるデバイスの上位レベルブロック図である。
【発明を実施するための形態】
【００１８】
開示された技術の実施例は、入力光信号の受信者としてソーラーモジュール内の太陽電池を用いて、光通信によって太陽電池モジュールを制御およびモニタリングすることができる。太陽電池が、赤外線信号として、入ってくる光信号を受信すると、ソーラーモジュールのバスバーは、入力信号を制御回路に伝送する管となる。この制御回路は、光信号を復号化(decoding)し、遠隔で受信されるモニタリング情報の送信を引き起こすか或いはこのような個々のソーラーモジュールおよび／または全体ソーラーパネルまたはアレイをターンオンおよびオフするなどの動作を行う。遠隔とは、ソーラーパネルではなく、他のアドレスでデータの無線ラジオまたは赤外線伝送を介して、或いは広域ネットワークオフサイトの少なくとも一つのゲートウェイを介して受信されるものと定義する。
【００１９】
本発明の目的のために、次の定義が使用される。バスバーは、太陽電池によって受信された電流を電源シンクに送る金属管と定義される。バスバーは、ソーラーモジュール１０１内のソーラーセル間の金属連結部の一般な名前である。接続箱(junction box)１０４の電源ケーブルは、光電池セルによって受信された電気を電源シンクに送る金属ワイヤーである。電源シンクは、電流を他の形態のエネルギーに変換する電気使用装置または電気蓄積装置として定義される。光電池またはソーラーセルは、光エネルギーから電気エネルギーを発生させる装置と定義される。ソーラーパネルは、太陽電池が直接電気的に結合されたグループと定義される。このような結合は全的にバスバーによって達成した。ソーラーアレイは、ソーラーパネルが電気的に結合されたグループと定義される。２つのソーラーパネル間の電気的結合は、互いに異なるソーラーパネルに電気的に接続されるコントローラーまたは電源シンクをそれぞれ含む。光信号は、受信機によって復号化される光を介してデータの符号化伝送として定義される。
【００２０】
開示された技術の実施例は、図面の詳細な説明によって明確になるであろう。
図１Ａは従来のソーラーモジュールの前面側を示し、図１Ｂは従来のソーラーモジュールの背面側を示す。前方側は、太陽を眺める側面、すなわち光エネルギーを受信することが可能な光電池（またはその多数）の側面を含み、電池は、光エネルギーを電気エネルギーに変換させる。このようなソーラーモジュールは、ソーラーセル１０２から受信された電流を伝導するバスバー１０１を備える。接続箱１０３は、バスバーを介して伝送されるエネルギーを収集し、また、このエネルギーをケーブル１０４を介して電力シンクなどの他の装置に送信する。フレーム１０５は、ソーラーパネルを物理的に支持する役割を果たす。
【００２１】
図２は開示された技術の実施例を行うのに用いられる装置の上位レベルブロック図である。送信機２０２は、ソーラーパネルまたはソーラーアレイの光電池セル２０１へ、例えば、レーザー光などの可視光、または赤外線帯域の光信号を符号化されたパターンで伝送する。図示した入力装置２１５は、また、プロセッサーの出力部が送信機２０２をプログラムまたは構成するのに用いられる演算装置でありうる。同様に、ソーラーパネル／太陽電池２０１に接続されている制御モジュールは、開示された技術の実施例において、このような入力装置２１５でプログラミングできる。このようなプログラミングによって、送信機２０２は特定のソーラーパネル、アレイ、または選択されたソーラーパネルおよびアレイに該当する特定の制御信号のみを放出することができる。送信コードは、受信端の制御器によって信号として解釈され、例えば、ソーラーモジュール、ソーラーアレイ、または個別パネルをオン／オフにし、或いは個々のソーラーパネル、ソーラーアレイまたはソーラーアレイグループから状態情報を受信することができる。ソーラーパネル２０１は、送信機２０２によって伝送された光エネルギーを収集した後、この光エネルギーをコードの形で制御回路２２０に送る。この制御回路は図３にさらに詳しく示されている。
【００２２】
図３は開示された技術の実施例を行うのに用いられる制御回路の上位レベルブロック図である。図３の制御回路の配置は、図２に示したレイアウトと同様である。このような制御回路２２０は、ソーラーモジュールの内部に、ソーラーモジュール用接続箱（図１の１０３を参照）の内部またはソーラーモジュールの外部にあるが、電気的に接続できる。まず、開示された技術の実施例において、受信された導入信号は、受信された電気信号を波長別にフィルタリングする帯域通過フィルター２０３を通過する。
【００２３】
低域通過フィルター２０９は、光電池セルから受信された電流の大部分である低域電流を受信し通過させる。低域通過フィルターを通過するＤＣ電力の一部は、開示された技術の実施例において、待機パワーサプライ２１１を充電する。待機パワーサプライ２１１は、太陽電池からの出力が回路２２０を駆動するのにあまり小さい場合、制御回路２２０のバックアップ電源である。後述するように、低域通過フィルターは、また、プロセッサー２０７とバス２００を介して通信することができる。
【００２４】
帯域通過フィルター２０３をさらに参照すると、送信機からの信号が通過した場合、帯域通過フィルター２０３と直列に配置された遮断キャパシター２０４を用いて、帯域通過フィルターを通過することが可能な信号キャリアからＤＣ電流を除去する。その後に導入される光信号がブロック２３０で処理される。キャリア復調器２０５は、入ってくる信号キャリアを処理し、符号化された命令を収集する。前記符号化された命令が復調されると、コードデコーダー２０６は、前記符号化された命令語を処理してマイクロプロセッサー２０７に送信し、マイクロプロセッサーは、前記符号化された命令に対する動作を行い、他の装置に命令を伝送する。このような符号化(encoding)および復号化(decoding)は、光通信のセキュリティーを向上させる。この符号化および復号化プロセスでデータ暗号化アルゴリズムを用いて通信のセキュリティーを行うことができる。
【００２５】
マイクロプロセッサー２０７は、符号化された信号を処理し、命令を実行する。プロセッサーは、埋め込まれたＡ／Ｄコンバーターを介してソーラーモジュールの電流および電圧などの動作状態を測定し、そのデータを揮発性または不揮発性メモリ２０８（例えば、ＥＥＰＲＯＭ）に記憶する。このようなデータは、例えば８０２．１１ネットワークを介して、例えば赤外線送信または無線伝送などの無線方式または電気的方式でディスプレイ２１２またはデータ端子２１３に出力できる。
【００２６】
図３を依然として参照すると、リレー２１０は、低域通過フィルター２０９を介して電力を受信し、プロセッサー２０７から命令を受信する。その後、リレーが開閉されて電力がパワーシンク２１４を通過することができるようにする。このパワーシンクは、他のソーラーパネル／ソーラーアレイ、インバーター、コントローラー、エネルギー蓄積用バッテリー、または光をエネルギーとして用いる装置でありうる。
【００２７】
図４は開示された技術の一実施例において、ソーラーパネルによって光信号を受信し保存する方法を示すフローチャートである。図４に示した段階は、低電力状態で（低電力とは、ブロック２２０において、前記通信装置の少なくとも一つに電力を供給するには太陽電池またはバッテリーからの電力が不十分な場合と定義する）または十分な電力状態（図３のブロック２２０において、全ての通信装置を動作させるのに十分な電力と定義する）で行われる。電源状態は図５を参照してさらに論議されるであろう。
【００２８】
マイクロプロセッサー２０７は、ステップ３２０で光通信を受信し次第、図４に示したステップを開始する。この光通信の受信は、ステップ３１１でコードの受信と解釈される。このコードは、行われるべき符号化メッセージ内の指示のための光信号で符号化されたメッセージとして定義される。マイクロプロセッサー２０７は、コードデコーダー２０６から信号コードを受信するとき、ステップ３１１が行われ、これにより理解されたコードが受信されたという決定が行われる。このコードは、装置に対して電源を遮断する役割を果たす。このための決定がステップ３１２で行われてもよく、ステップ３１４で状態データに対する要請が行われるか決定される。ステップ３１３または３１５で、このようなコードはＥＥＰＲＯＭまたは他のメモリ装置に記録される。最大電力状態では、コードをプロセッサーに伝送する揮発性メモリを用いて、コードが直ちに動作できるので、コードをＥＥＰＲＯに記憶する必要がないかもしれない。
【００２９】
運用者が送信機をソーラーモジュールとペアにしようとする場合、前記送信機２０２によって選択されたマスターコードを伝送することができる。その後、送信機２０２は、指定されたマスターコードとマスターコード記録要請を送信する。マスターコードは、ソーラーモジュール２０１および送信機２０２をペアにするのに必要な必須符号化識別子である（図２参照）。すなわち、マスターコードは、行われるべき命令の受諾の前に、プロセッサーによって確認されなければならない。このように、送信機がソーラーパネル／受信機および関連装置（図示のとおり）に必要なコードの形で適切な認証データを伝送し次第、１組のコードが多くのソーラーパネルのいずれか一つに使用できるため、指示を受け入れて送信機からの命令を行う。マスターコードを送信することにより、送信機は受信装置とペアになる。受信コードがマスターコード記録要求に対するものであれば、マイクロプロセッサー２０７は、ステップ３１３または３１５でのように、受信されるマスターコードをＥＥＰＲＯＭに書き込む。その後、送信機は、ソーラーモジュールと通信するたびに、このようなマスターコードに制御コードを送る。このような実施例において、マイクロプロセッサー２０７は、制御コードを受信するたびに、受信コードを読み取り、ＥＥＰＲＯＭ上に記録されたマスターコードと比較する。マスターコードが一致しない場合、或いはＥＥＰＲＯＭに記録されたマスターコードがない場合、マイクロプロセッサーは命令を実行することなく処理を終了する。
【００３０】
図５は送信機から光信号を受信するときに行われるステップを示す。ステップ３０１で、保存されたコードがあるか決定される。このような決定は、周期的に（例えば、毎プロセッサーサイクル、毎秒または毎分）、または、低電力状態からブロック２２０の全ての装置を作動させるのに十分な最大電力状態に復帰するときに行われる。例えば、ソーラーモジュールが電源に接続されるか（例えば、さらに明るい場合のように）、或いは光電池過程で多くの電力を獲得するときに発生することもある。保存されたコードは揮発性または不揮発性メモリにありうる。保存されたコードがある場合、ステップ３４２で読み取られる。そうでない場合、図４を参照して説明したように、コードを保存するステップが行われる。いずれの場合にも、一応受信されたコードが作動すると、図５に示したいずれかのステップが報告できる。それらのステップは、十分な電力が存在するたびに起こり、符号化された要請を受け付けるときに後の出力のために保存されるが、太陽電池から出力された現在の電流および電圧を読み取り（ステップ３０２）、一定の期間にわたってステップ３０２から最小、最大および平均の電流または電圧値を算出し（ステップ３０３）、ステップ３０２および３０３のデータに関連するタイムスタンプを保存し（ステップ３０４）、状態データを読み取るステップ（ステップ３０５）などを含む。
【００３１】
ステップ３０６において、状態データの出力がディスプレイにまたは搬送線を介して送信機に報告されるコードが受信されると、ステップ３０７で、このような状態データは、予定された一定の期間継続的に、またはコードが処理される時間に瞬間的に表示される。同様に、ステップ３０８で、太陽電池が電力網に電源を出力することを停止すべき或いは保存されるべきことを表示するコードが受信されると、ステップ３０９でパワーオフ命令を発生させる。ステップ３１０でリレーが開放されると、光電池からの電力出力がディスエーブルされる。既に電源がオフになっており且つこのような命令が受信される場合、ステップ３１６で、電力出力はリレーを開放する方式で許容される。
【００３２】
図６は開示された技術を行うのに使用できるデバイスの上位レベルブロック図を示す。デバイス７００は、動作を定義する測定装置のプログラム命令を実行することにより、コンピュータの全体動作を制御するプロセッサー７５０を含む。測定装置のプログラム命令は、記憶装置７２０（例えば、磁気ディスク、フラッシュディスク、データベース）に記憶され、前記測定装置のプログラム命令の実行が要求される場合、メモリ７３０にロードできる。よって、測定装置の動作はメモリ７３０および／またはストレージ７２０に記憶されている測定装置のプログラム命令によって定義され、前記測定装置は、測定装置のプログラム命令を実行するプロセッサー７５０によって制御される。デバイス７００は、ネットワーク（例えば、インターネット）を介して他の装置と通信するための一つまたは複数の入力ネットワークインターフェースを含む。デバイス７００は、他の装置と通信するための少なくとも一つの出力ネットワークインターフェース７１０を含む。デバイス７００は、また、コンピュータ７００とユーザーインタラクションを許容する装置（例えば、ディスプレイ、キーボード、マウス、スピーカ、ボタンなど）を示す入／出力部７４０を含む。当業者であれば、実際デバイスの実現だけでなく、他の構成要素を含むものと認識する。図７は、例示的な目的のための、このような測定装置の構成要素の一部の上位レベル表現である。当業者であれば、図１〜図５に示した方法および装置は図６に示した装置においても実現できるということを理解するであろう。
【００３３】
開示された技術はこれらの実施例を基準として明細書に教示されたが、当該技術分野における通常の知識を有する者は、開示された技術の範囲を外れることなく、形態および詳細事項に変更を加え得ることを認識するであろう。説明された実施例は、例示に過ぎないもので、制限的なものではない。特許請求の範囲の均等な意味およびその範囲内にある全ての変更は請求の範囲に含まれなければならない。上述した方法、システムおよび装置のうち任意の組み合わせもまた考慮され、本発明の範囲内にある。
【図１】
2015524631.tif 000003
【図２】
2015524631.tif 000004
【図３】
2015524631.tif 000005
【図４】
2015524631.tif 000006
【図５】
2015524631.tif 000007
【図６】
2015524631.tif 000008
【国際調査報告】
2015524631.tif 000009
2015524631.tif 000010